【手続補正書】
【提出日】平成18年8月1日(2006.8.1)
【手続補正１】
【補正対象書類名】明細書
【補正対象項目名】発明の名称
【補正方法】変更
【補正の内容】
【発明の名称】記録ヘッド、記録装置、及び記録カートリッジ
【手続補正２】
【補正対象書類名】明細書
【補正対象項目名】特許請求の範囲
【補正方法】変更
【補正の内容】
【特許請求の範囲】
【請求項１】  インクを吐出して記録を行う記録ヘッドであって、
アナログ信号をデジタルデータに変換して出力する変換回路と、クロック信号に応じて記録信号を受取るシフトレジスタと、シフトレジスタに入力された記録信号を保持するラッチと、前記ラッチに保持された前記記録信号に従って前記複数の記録素子を駆動する駆動回路と、を有し、
前記変換回路で変換されたデジタル信号の前記記録ヘッド外部への出力を、前記記録信号を受取るための前記クロック信号を利用して行うことを特徴とする記録ヘッド。
【請求項２】  前記駆動回路が駆動する複数の記録素子各々は、
ヒータと、
前記ヒータに対する通電のオン／オフを制御するスイッチと、
前記ヒータからの発熱によって加熱されるインクを吐出する吐出ノズルとを含むことを特徴とする請求項１に記載の記録ヘッド。
【請求項３】  前記駆動回路は、
前記ヒータに対してヒートパルス信号を入力する第１の入力パッドと、
前記シフトレジスタに記録信号を入力する第２の入力パッドと、
前記クロック信号を入力する第３の入力パッドと、
前記ラッチ回路に対するラッチ信号を入力する第４の入力パッドとを有することを特徴とする請求項２に記載の記録ヘッド。
【請求項４】  前記記録ヘッドはさらにインクを吐出する複数の記録素子の記録特性を格納したメモリを有し、このメモリからの記録特性の読み出しを前記クロック信号を利用して行うことを特徴とする請求項１に記載の記録ヘッド。
【請求項５】  前記メモリは、
複数のＲＯＭと、
前記複数のＲＯＭ各々に１対１に対応した複数のシフトレジスタとを含み、
前記第３の入力パッドから入力される前記クロック信号に従って、前記複数のシフトレジスタから前記複数のＲＯＭ各々に読み出し信号を出力し、前記複数のＲＯＭ各々に格納された情報をシリアルに出力することを特徴とする請求項４に記載の記録ヘッド。
【請求項６】  前記変換回路は、前記複数のシフトレジスタから出力される前記読み出し信号を入力してアナログ／デジタル変換を行うための閾値信号を発生することを特徴とする請求項５に記載の記録ヘッド。
【請求項７】  前記変換回路は、前記複数のシフトレジスタから出力される前記読み出し信号の周波数を低減する低減回路を有することを特徴とする請求項６に記載の記録ヘッド。
【請求項８】  前記変換回路は、前記低減回路によって低減された周波数に従って、前記アナログ信号に対するアナログ／デジタル変換を行うことを特徴とする請求項７に記載の記録ヘッド。
【請求項９】  前記アナログ信号は、記録ヘッドの内部温度を測定する温度センサからの出力であることを特徴とする請求項１に記載の記録ヘッド。
【請求項１０】  入力された記録信号に従って記録を行う記録ヘッドであって、  クロック信号に応じて記録信号を受取るシフトレジスタと、前記シフトレジスタに入力された前記記録信号を保持するラッチとを有し、前記ラッチに保持された前記記録信号に従って前記複数の記録素子を駆動する駆動回路と、
前記記録ヘッドに関する情報を格納した不揮発性メモリと、
前記メモリに格納された情報を、記録信号を受取るための前記クロック信号とラッチ信号とを利用して、前記記録信号が入力される期間内にシリアル形式で外部に出力する出力手段とを備えていることを特徴とする記録ヘッド。
【請求項１１】  前記記録ヘッドの状態に関する情報をデジタルデータに変換し、変換された前記デジタルデータを、前記記録信号を入力するために用いる前記クロック信号と前記ラッチ信号とを利用して、前記記録信号の入力される期間内にシリアル形式で外部に出力する変換手段を更に備えていることを特徴とする請求項１０に記載の記録ヘッド。
【請求項１２】  前記不揮発性メモリは、前記記録ヘッドの識別情報を格納することを特徴とする請求項１０または１１に記載の記録ヘッド。
【請求項１３】  前記記録ヘッドの状態に関する情報は、前記熱エネルギー変換体の設けられた部分の温度に関する情報であることを特徴とする請求項１０に記載の記録ヘッド。
【請求項１４】  温度情報を記録データの入力に従って出力することができる記録ヘッドであって、
第１の周波数のクロックに従って記録データを入力するシフトレジスタと、
前記記録データに従って通電され発熱するヒータと、
記録ヘッド内部の温度を検出する温度検出回路と、
前記第１の周波数のクロックを分周して第２の周波数のクロックを生成する分周回路とを有し、
前記温度検出回路は前記第２の周波数のクロックに従って、検出温度を示す信号を出力することを特徴とする記録ヘッド。
【請求項１５】  前記温度検出回路は、
温度センサと、
基準電圧を発生する基準電圧発生回路と、
前記第２の周波数のクロックに従って、前記基準電圧を変化させる切換回路と、
前記温度センサからの出力電圧と前記切換回路からの基準電圧とを比較し、該比較結果を前記検出温度を示す信号として出力する比較回路とを有することを特徴とする請求項１４に記載の記録ヘッド。
【請求項１６】  前記分周回路は、前記第１の周波数のクロックを２分周することを特徴とする請求項１４に記載の記録ヘッド。
【請求項１７】  前記シフトレジスタに格納された記録データをラッチするラッチ回路をさらに有することを特徴とする請求項１４に記載の記録ヘッド。
【請求項１８】  前記記録ヘッドは、熱エネルギーを利用してインクを吐出するために、インクに与える熱エネルギーを発生するための熱エネルギー変換体を備えていることを特徴とする請求項１、１０及び１４のいずれか１項に記載の記録ヘッド。
【請求項１９】  請求項１８に記載の記録ヘッドを用いた記録装置。
【請求項２０】  請求項１９に記載の記録ヘッドと、前記記録ヘッドに供給するインクを貯留するインクタンクとを有する記録カートリッジ。
【手続補正３】
【補正対象書類名】明細書
【補正対象項目名】００３７乃至００４４
【補正方法】削除
【補正の内容】
【手続補正４】
【補正対象書類名】明細書
【補正対象項目名】００４５
【補正方法】変更
【補正の内容】
【００４５】
【課題を解決するための手段】
上記の目的を達成する本発明の第１の態様による記録ヘッドは、インクを吐出して記録を行う記録ヘッドであって、
アナログ信号をデジタルデータに変換して出力する変換回路と、クロック信号に応じて記録信号を受取るシフトレジスタと、シフトレジスタに入力された記録信号を保持するラッチと、前記ラッチに保持された前記記録信号に従って前記複数の記録素子を駆動する駆動回路と、を有し、
前記変換回路で変換されたデジタル信号の前記記録ヘッド外部への出力を、前記記録信号を受取るための前記クロック信号を利用して行う。
【手続補正５】
【補正対象書類名】明細書
【補正対象項目名】００５１
【補正方法】変更
【補正の内容】
【００５１】
上記の目的を達成する本発明の他の態様における記録ヘッドは、入力された記録信号に従って記録を行う記録ヘッドであって、
クロック信号に応じて記録信号を受取るシフトレジスタと、前記シフトレジスタに入力された前記記録信号を保持するラッチとを有し、前記ラッチに保持された前記記録信号に従って前記複数の記録素子を駆動する駆動回路と、
前記記録ヘッドに関する情報を格納した不揮発性メモリと、
前記メモリに格納された情報を、記録信号を受取るための前記クロック信号とラッチ信号とを利用して、前記記録信号が入力される期間内にシリアル形式で外部に出力する出力手段とを備えている。
【手続補正６】
【補正対象書類名】明細書
【補正対象項目名】００５５
【補正方法】変更
【補正の内容】
【００５５】
上記の目的を達成する本発明の、さらに他の態様における記録ヘッドは、温度情報を記録データの入力に従って出力することができる記録ヘッドであって、
第１の周波数のクロックに従って記録データを入力するシフトレジスタと、
前記記録データに従って通電され発熱するヒータと、
記録ヘッド内部の温度を検出する温度検出回路と、
前記第１の周波数のクロックを分周して第２の周波数のクロックを生成する分周回路とを有し、
前記温度検出回路は前記第２の周波数のクロックに従って、検出温度を示す信号を出力する。